(57)【特許請求の範囲】
【請求項１】
互いに嵌合可能な一対のコネクタのうちの一方のコネクタに設けられたハウジングには、合成樹脂製のカム板部を有するレバーが回動可能に取り付けられ、また他方のコネクタには前記カム板部に形成されたカム溝に係合可能なカムピンが設けられ、前記両コネクタの嵌合に際しては、前記レバーを初期位置として前記カム溝に前記カムピンを進入させ、その状態から前記レバーを回動操作することにより前記カム溝と前記カムピンとのカム作用によって前記両コネクタを互いに引き寄せて嵌合状態とするようにしたレバー式コネクタにおいて、
前記カム板部には、その板面に沿って撓み変形可能な弾性係止片が一体に設けられてその弾性係止片が前記ハウジング側に設けた受け部に係止することで前記レバーの前記初期位置から嵌合完了方向への回動が規制されると共に、前記カム板部には、さらに回動案内溝が形成されてその回動案内溝に前記ハウジング側に設けたストッパが嵌合することで前記初期位置から前記嵌合完了方向とは反対側への回動が規制されて前記カム板を初期位置に保持する構成とされ、前記両コネクタの嵌合初期において前記弾性係止片が弾性変形することにより前記受け部との係止が解除されて前記レバーが前記初期位置から前記嵌合完了方向へ回動されたときに前記弾性係止片が前記弾性変形状態から自由状態に復帰することを特徴とするレバー式コネクタ。
【請求項２】
前記カム板部には、円形の軸受孔と、この軸受孔から前記カム板部の外縁部へと連通しかつ前記軸受孔の内径よりも小さな溝幅寸法を有する組付溝とが形成され、前記ハウジングには、前記軸受孔に緊密に嵌合可能な外径を有しかつ径方向の一方向についてその寸法が前記組付溝を通過可能に縮小された形状の支持軸が形成されていることを特徴とする請求項１に記載のレバー式コネクタ。
【請求項３】
前記他方のコネクタには、嵌合初期において、前記弾性係止片に当接して前記ハウジングとの係止を解除させるロック解除リブが設けられていることを特徴とする請求項１又は請求項２に記載のレバー式コネクタ。
【請求項４】
前記他方のコネクタには、前記一方のコネクタを嵌入可能な方形のフード部が設けられており、前記ロック解除リブは、前記フード部内に突出して前記一方のコネクタが反転した姿勢で挿入されることを防ぐ逆挿入防止用のリブを兼ねる構成としたことを特徴とする請求項３に記載のレバー式コネクタ。
【発明の詳細な説明】
【０００１】
【発明の属する技術分野】
本発明は、レバー式コネクタに関する。
【０００２】
【従来の技術】
レバー式コネクタは、互いに嵌合可能なコネクタのうちの一方のハウジングに相手側との嵌合を助勢するためのレバーを取り付けたものである。一般にレバーは、カム溝の形成された一対のカム板部とこれらを繋ぐ操作部とを有する門型をなし、レバーがハウジングを跨ぐような格好で、両カム板部がハウジングの両側面に形成された支持軸に回動可能に取り付けられている。コネクタを嵌合する際には、相手側コネクタに突設されたカムピンをレバーのカム溝に係合させて、レバーを回動操作することで、カムピンとカム溝とのカム作用によって両コネクタが引き寄せられ嵌合状態となる。
【０００３】
このようなコネクタにおいては、レバーのカム溝へカムピンを正しく進入させるために、嵌合前にレバーをカム溝にカムピンを受け入れ可能な姿勢となる初期位置に保持しておく必要がある。そのため、従来例えば特開平９−２２３５３９号公報に記載されたものでは、レバーのカム板部にハウジング側に係止可能な突起を設け、これをハウジングに係止させることでレバーを初期位置に保持し、またカム板部をその板厚方向に撓ませるようにして突起とハウジングとの係止又は係止解除を行うようにしている。
【０００４】
【発明が解決しようとする課題】
ところで、上記のようなコネクタにおいては、レバーの回動軸方向（カム板部の板厚方向）に小型化が要望される場合がある。しかしながら、従来のものでは、カム板部の板厚方向にレバーを初期位置に係止させるための撓みスペース分を確保する必要があり、小型化の妨げになるという問題があった。
本発明は、上記事情に鑑みてなされたもので、その目的は、カム板部の板厚方向について小型化を図ることの可能なレバー式コネクタを提供するところにある。
【０００５】
【課題を解決するための手段】
上記の課題を解決するための請求項１の発明に係るレバー式コネクタは、互いに嵌合可能な一対のコネクタのうちの一方のコネクタに設けられたハウジングには、合成樹脂製のカム板部を有するレバーが回動可能に取り付けられ、また他方のコネクタには前記カム板部に形成されたカム溝に係合可能なカムピンが設けられ、前記両コネクタの嵌合に際しては、前記レバーを初期位置として前記カム溝に前記カムピンを進入させ、その状態から前記レバーを回動操作することにより前記カム溝と前記カムピンとのカム作用によって前記両コネクタを互いに引き寄せて嵌合状態とするようにしたレバー式コネクタにおいて、前記カム板部には、その板面に沿って撓み変形可能な弾性係止片を一体に設け、その弾性係止片を前記ハウジング側に設けた受け部に係止することで前記レバーの前記初期位置から嵌合完了方向への回動を規制する構成とした。そして、さらに、前記カム板部には、回動案内溝を形成しその回動案内溝に前記ハウジング側に設けたストッパを嵌合させることで前記初期位置から前記嵌合完了方向とは反対側への回動を規制して前記カム板を初期位置に保持する構成とし、前記両コネクタの嵌合初期において前記弾性係止片が弾性変形することにより前記受け部との係止が解除されて前記レバーが前記初期位置から前記嵌合完了方向へ回動されたときに前記弾性係止片が前記弾性変形状態から自由状態に復帰する構成とした。
【０００６】
請求項２の発明は、請求項１に記載のものにおいて、前記カム板部には、円形の軸受孔と、この軸受孔から前記カム板部の外縁部へと連通しかつ前記軸受孔の内径よりも小さな溝幅寸法を有する組付溝とが形成され、前記ハウジングには、前記軸受孔に緊密に嵌合可能な外径を有しかつ径方向の一方向についてその寸法が前記組付溝を通過可能に縮小された形状の支持軸が形成されているところに特徴を有する。
【０００７】
請求項３の発明は、請求項１又は請求項２に記載のものにおいて、前記他方のコネクタには、嵌合初期において、前記弾性係止片に当接して前記ハウジングとの係止を解除させるロック解除リブが設けられているところに特徴を有する。
【０００８】
請求項４の発明は、請求項３に記載のものにおいて、前記他方のコネクタには、前記一方のコネクタを嵌入可能な方形のフード部が設けられており、前記ロック解除リブは、前記フード部内に突出して前記一方のコネクタが反転した姿勢で挿入されることを防ぐ逆挿入防止用のリブを兼ねる構成としたところに特徴を有する。
【０００９】
【発明の作用および効果】
請求項１の発明によれば、レバーを初期位置に係止するための弾性係止片がカム板部の板面に沿って撓み変形し、これが前記ハウジング側に設けた受け部に係止することでレバーの初期位置から嵌合完了方向への回動が規制され、カム板部の回動案内溝にハウジング側に設けたストッパが嵌合して初期位置から嵌合完了方向とは反対側への回動が規制される構造であるから、カム板部の板厚方向についてのスペースが小さくなってコネクタの小型化を図ることができる。
【００１０】
請求項２の発明によれば、レバーをハウジングに組み付ける際には、組付溝の溝幅方向を支持軸の寸法の縮小された方向に一致させるようにして、支持軸を組付溝に進入させる。そして、支持軸が組付溝を通過して軸受孔に嵌合したところで、レバーを支持軸周りに回動することでレバーが抜け止め状態となる。これにより、レバーの組付け作業を簡易に行うことができる。
【００１１】
請求項３の発明によれば、嵌合初期においては、ロック解除リブが弾性係止片に当接してハウジングとの係止を解除させることで、レバーが初期位置から回動操作可能な状態となる。これにより、両コネクタの嵌合作業を円滑に行うことができる。
【００１２】
請求項４の発明によれば、ロック解除リブは、一方のコネクタがフード部内へ反転した姿勢で挿入されることを防ぐ逆挿入防止用のリブを兼ねるため、構成が簡単となる。
【００１３】
【発明の実施の形態】
次に本発明の一実施形態について図１から図１４を参照して説明する。
本実施形態のレバー式コネクタは、図１に示すように、互いに嵌合・離脱可能な雌側コネクタ１０（本発明の「一方のコネクタ」に相当）と雄側コネクタ５０（「他方のコネクタ」に相当）とから構成されている。なお、以下の説明においては、各コネクタ１０，５０について互いに相手側と嵌合する側を前方とする。雌側コネクタ１０は、雌端子金具２６を収容する複数のサブコネクタ２４と、これらのサブコネクタ２４を収容する枠状のホルダ１１（本発明の「ハウジング」に相当）と、このホルダ１１に組み付けられるレバー４０とを備えて構成されている。
【００１４】
ホルダ１１は、合成樹脂材料からなり、図２から図５に示すように、前後方向に貫通するとともに全体として横長方形の枠状をなしている。即ちホルダ１１は、上面壁１２、下面壁１３、及び左右両側面壁１４を有し、この４枚の壁で囲まれた空間のうち、上面壁１２及びこの上面壁１２と平行な天井壁１５との間に区画された横長スリット状をなす空間は、レバー４０を収容するための収容凹部１６とされている。ホルダ１１の内部空間のうち収容凹部１６よりも下方の領域は、天井壁１５と下面壁１３との間に設けられた２枚の仕切壁１７により、左右３つの組付け空間１８が構成されており、この組付け空間１８内には、それぞれ、サブコネクタ２４が後方から嵌入されるようになっている。下面壁１３には各組付け空間１８に対応して弾性撓み可能なランス１９が形成されている。さらに、ホルダ１１の下面壁１３には、ホルダ１１の左右方向に長い凹部２１が形成されており、この凹部２１内には、リテーナ２２が下方から嵌合される。
【００１５】
サブコネクタ２４は、合成樹脂からなり、全体として方形ブロック状をなす（図１参照）。各サブコネクタ２４内には、複数のキャビティ２５が形成され、このキャビティ２５には後方から雌端子金具２６が挿入されている。また、各雌端子金具２６に固着した電線２７はサブコネクタ２４の後端面から後方へ引き出されている。各サブコネクタ２４は、ホルダ１１の組付け空間１８に対して後方から嵌入されつつ組み付けられるようになっている。組付け状態では、サブコネクタ２４の前端面と後端面は、それぞれ、ホルダ１１の前端面と後端面に対して面一状をなす。尚、組み付けられたサブコネクタ２４は、ランス１９と、凹部２１に嵌合されたリテーナ２２とが２重に係止することで抜止め状態に保持されている。
【００１６】
レバー４０は、合成樹脂からなり、図５から図７に示すように、全体として水平な板状をなしている。レバー４０は、やや細長い平板状をなすカム板部４１を備えており、その一端側寄り位置の下面に円形の軸受孔４２が凹設されている。この軸受孔４２には、ホルダ１１の収容凹部１６内における天井壁１５から上向きに突設された支持軸２９が嵌合され、レバー４０はこの支持軸２９を中心として水平方向に回動可能とされている。なお、レバー４０は、ホルダ１１に組み付けられた状態では、ホルダ１１の片側の壁面（ここでは上面壁１２）に沿うような形態となり、カム板部４１が上面壁１２及び天井壁１５の間に僅かなクリアランスを持って挟まれた状態で収容凹部１６内に収容される。
【００１７】
ここで、ホルダ１１の支持軸２９は、その前後の面が弧状断面をなしており、これらの前後面間については前記の軸受孔４２にほぼ緊密に嵌合可能な外径を有している。また、支持軸２９の左右両側部には、平行な一対の平坦部２９Ａが形成されており、左右方向についての寸法（平坦部２９Ａ間の寸法）が前後面間の外径寸法よりも縮小した形状となっている。
カム板部４１の下面には、軸受孔４２からカム板部４１の長さ方向に沿ってその外縁部まで至る組付溝４３が凹設されている。この組付溝４３は、レバー４０のホルダ１１への組み付け時に支持軸２９を軸受孔４２へ進入させるためのもので、その溝幅が支持軸２９の左右方向の寸法（平坦部２９Ａ間の寸法）より僅かに大きい程度に設定されている。また、組付溝４３の深さ寸法は、全体として支持軸２９の突出寸法よりも小さく、かつ軸受孔４２側へ行くにつれてより小さくなるように形成され、軸受孔４２の底面と組付溝４３の底面との間が段差状になっている。
【００１８】
また、カム板部４１の下面には、軸受孔４２を中心とする略扇形をなす回動案内溝４４が凹設され、この回動案内溝４４には、ホルダ１１の収容凹部１６内における天井壁１５の上面に突設されたストッパ３１が係合可能とされている。レバー４０は、このストッパ３１が回動案内溝４４内をその一端から他端まで変位する範囲でその回動操作範囲が規定され、図１０に示す初期位置から図１３に示す嵌合完了位置までを回動操作可能となっている。また、カム板部４１における軸受孔４２周りには、雄側コネクタ５０のカムピン５４を係合可能なカム溝４５が形成され、その開口部４５Ａがカム板部４１の端縁部に形成されている。ホルダ１１の上面壁１２及び天井壁１５には、雄側コネクタ５０のカムピン５４が進入可能な逃がし溝３２が支持軸２９の前側に形成されており、レバー４０が初期位置にあるときには、カム溝４５の開口部４５Ａが逃がし溝３２に整合して、カム溝４５へカムピン５４を受け入れ可能な体勢となる。
【００１９】
また、カム板部４１における軸受孔４２側の端縁部には、片持ち状の弾性係止片４６が設けられている。弾性係止片４６は、カム板部４１の板面に沿って延出して、その幅寸法（上下方向の寸法）がカム板部４１の板厚と等しくされるとともに、その先端部がカム板部４１の板面に沿って撓み変形可能とされている。また、弾性係止片４６の先端部には、外方に向けて突出する突起４６Ａが形成されている。
一方、ホルダ１１には、雄側コネクタ５０のロック解除リブ５５が進入可能な逃がし溝３３が収容凹部１６の一方の側端位置に設けられている。この逃がし溝３３は、ホルダ１１の前面から後方側へ向けて形成され、その後端には溝の下半分の領域に突出するロック用受け部３３Ａが形成されている。レバー４０が初期位置にあるときには、弾性係止片４６の突起４６Ａが逃がし溝３３内に進出して、その突起４６Ａの下半分がロック用受け部３３Ａに係止することで、レバー４０の嵌合完了位置側への回動が規制された状態となる。
【００２０】
さらに、レバー４０には、カム板部４１の軸受孔４２とは反対側の端部で、かつ嵌合完了位置においてホルダ１１の後面側になる位置に操作部４７が設けられている。操作部４７は、カム板部４１よりもその板厚方向に張り出した角枠部４７Ａと、角枠部４７Ａから軸受孔４２に対して離間する側へ張り出した指かけ部４７Ｂとを備えて構成されている。また、レバー４０における操作部４７側の端部には、レバー４０を嵌合完了位置にロックするための弾性ロック片４８が設けられている。この弾性ロック片４８は、嵌合完了位置において後方となる側へ片持ち状に延びて、全体としてカム板部４１の板面に沿うような平板状をなし、その厚み方向（レバー４０の回動軸方向）に撓み変形可能とされている。弾性ロック片４８の上面には、係止突起４８Ａが形成され、嵌合完了位置においてはこの係止突起４８Ａがホルダ１１の上面壁１２に形成された爪部３４に係止する。また、弾性ロック片４８の先端部には、爪部３４に対する係止の解除操作を行うための平板状の指押し部４８Ｂが形成されている。この指押し部４８Ｂは、角枠部４７Ａの内側に配されると共に、角枠部４７Ａの上面には切欠部４７Ｃが設けられて、ここから指押し部４８Ｂが露出した状態となっている。
【００２１】
一方、雄側コネクタ５０は、図１、図８及び図１０に示すように、合成樹脂材料からなるハウジング５１と、複数の雄端子金具５２とを備えて構成されている。ハウジング５１は、前方に開口する方形のフード部５３を有し、このフード部５３内には雌側コネクタ１０のホルダ１１が嵌入されるようになっている。このフード部５３内にはその奥端面から突出する雄端子金具５２が収容されており、両コネクタ１０，５０が正規嵌合すると、雄端子金具５２と雌端子金具２６とが接続されるようになっている。
フード部５３の上面板５３Ａには、円柱状のカムピン５４とロック解除リブ５５が、下方に向かって、即ちフード部５３の内部空間に向けて突出して形成されている。ロック解除リブ５５は、フード部５３の前端位置から前後方向に沿って形成され、雌側コネクタ１０との嵌合時には逃がし溝３３内の上半分の領域に進入する。
【００２２】
次に、本実施形態の作用を説明する。
組付けに際しては、まず、図５に示すように、レバー４０を水平にして、組付溝４３の幅方向を支持軸２９の寸法の縮小された方向（即ち左右方向）に一致させるようにして、カム板部４１をホルダ１１の収容凹部１６内へ挿入し、支持軸２９を組付溝４３に進入させる。支持軸２９が組付溝４３内に押し込まれると、その周囲の上面壁１２及び天井壁１５が互いに離間方向へ若干撓み変形して支持軸２９の通過が許容される。このとき、組付溝４３の深さ寸法が軸受孔４２側へ行くにつれて徐々に小さくなるため、支持軸２９を組付溝４３の奥側へ容易に押し込むことができる。そして、支持軸２９が軸受孔４２に至るとともに、撓み変形した上面壁１２及び天井壁１５が復帰変形し、支持軸２９が軸受孔４２と嵌合状態となる（図９参照）。
【００２３】
続いて、レバー４０を図９の状態から反時計回り方向に回動すると、ストッパ３１がカム板部４１の下側に押し込まれるとともに、その周囲の上面壁１２及び天井壁１５が互いに離間方向に若干撓み変形する。そして、レバー４０が図１０に示す初期位置まで回動されると、ストッパ３１が回動案内溝４４内に嵌まり込んで撓み変形した上面壁１２及び天井壁１５が復帰変形する。これにより、弾性係止片４６の突起４６Ａが逃がし溝３３内に進入してロック用受け部３３Ａに係止することから、レバー４０の嵌合完了位置側への回動が規制された状態となる。また、レバー４０が図９の状態から回動されたことにより、軸受孔４２において支持軸２９の向きが組付溝４３とずれることから、レバー４０が抜け止めされた状態となる。以上によりレバー４０のホルダ１１への組付けが完了する。
【００２４】
次に、図１に示すようにホルダ１１の各組付け空間１８内にサブコネクタ２４を嵌合させるとともに、リテーナ２２をサブコネクタ２４に係止させてサブコネクタ２４を抜け止め状態とする。
この状態から雌側コネクタ１０のホルダ１１を雄側コネクタ５０のフード部５３内に浅く嵌入させる。このとき、誤って雌側コネクタ１０を上下反転した姿勢でフード部５３へ嵌合しようとしたときには、ロック解除リブ５５の先端がホルダ１１に当接して、その挿入が規制される。ホルダ１１がフード部５３内に浅く嵌入すると、図１１に示すように、カムピン５４がカム溝４５の開口部４５Ａに嵌入されるとともに、ロック解除リブ５５が、弾性係止片４６の突起４６Ａに当接して弾性係止片４６をロック用受け部３３Ａとの係止を解除させるように撓み変形させ、これによりレバー４０の回動操作が許容された状態となる。
【００２５】
この状態からレバー４０の操作部４７を押圧してレバー４０を嵌合完了位置側へ回動させると、カムピン５４とカム溝４５との係合によるカム作用により両コネクタ１０，５０が互いに引き寄せられ、フード部５３に対するホルダ１１の嵌入が進む。この嵌合操作中には、レバー４０に対して嵌合抵抗に基づく力が作用するが、カム板部４１が収容凹部１６において板厚方向の両側から挟まれた状態であるために、カム板部４１が回動軸方向へ変形したり、ホルダ１１の支持軸２９から外れることが防止される。
【００２６】
レバー４０が嵌合完了位置に接近すると、弾性ロック片４８の係止突起４８Ａがホルダ１１の爪部３４に当接して、弾性ロック片４８がカム板部４１の板面に対して直交方向に撓み変形する。そして、レバー４０が嵌合完了位置に至るとともに、弾性ロック片４８が復帰変形し、図１２に示すように、係止突起４８Ａと爪部３４とが係止してレバー４０がロックされた状態となる。これにより、両コネクタ１０，５０が正規の嵌合状態に至り（図１３及び図１４参照）、もって、両コネクタ１０，５０の嵌合が完了する。
【００２７】
両コネクタ１０，５０を上記の嵌合状態より離脱する場合には、例えば図１３に２点鎖線で示すように、右手人差し指Ｆ１を操作部４７の指かけ部４７Ｂにかけ、右手親指Ｆ２の先で弾性ロック片４８の指押し部４８Ｂを下方に押圧して係止を解除する。そして、そのまま操作部４７を引いて、レバー４０を図１３の時計回り方向へ回動させる。すると、レバー４０の回動に伴いカムピン５４がカム溝４５を開口部４５Ａ側へ変位して両コネクタ１０，５０が離間されていき、レバー４０が初期位置に至るとともに、カムピン５４がカム溝４５から外れ、両コネクタ１０，５０が離脱される。
【００２８】
以上のように本実施形態においては、レバー４０を初期位置に係止するための弾性係止片４６がカム板部４１の板面に沿って撓み変形するため、カム板部４１の板厚方向について撓みスペースを設けずに済み、コネクタの小型化を図ることができる。
【００２９】
また、レバー４０をホルダ１１に組み付ける際には、組付溝４３の幅方向を支持軸２９の寸法の縮小された方向に一致させるようにして、支持軸２９を組付溝４３に進入させる。そして、支持軸２９が組付溝４３を通過して軸受孔４２に嵌合したところで、レバーを支持軸周りに回動することでレバーが抜け止め状態となる。これにより、レバーの組付け作業を簡易に行うことができる。
【００３０】
さらに、嵌合初期においては、ロック解除リブ５５が弾性係止片４６に当接してホルダ１１との係止を解除させることで、レバー４０が初期位置から回動操作可能な状態となる。これにより、両コネクタ１０，５０の嵌合作業を円滑に行うことができる。
【００３１】
また、ロック解除リブ５５は、雌側コネクタ１０がフード部５３内へ反転した姿勢で挿入されることを防ぐ逆挿入防止用のリブを兼ねるため、構成が簡単となる。
【００３２】
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、レバーを分割タイプのコネクタにおけるホルダに取り付けたが、本発明によれば、レバーを分割タイプ以外のコネクタにおけるハウジングに取り付けるようにしても良い。
（２）上記実施形態では、レバーをホルダの片側の壁面に沿うような形態としたが、本発明によれば、レバーをハウジングを跨ぐような門型形状としても良い。
（３）上記実施形態では、初期位置において係止状態となったレバーの弾性係止片が雄側コネクタのロック解除リブによって係止解除されるが、本発明によれば、相手側のコネクタには係止の解除手段を設けずに、例えば弾性係止片の係止をいわゆるセミロック構造として、レバーが初期位置から嵌合完了位置側へ押圧されることにより係止解除されるようにしても良い。
【図面の簡単な説明】
【図１】本実施形態における雌側コネクタと雄側コネクタの嵌合前の状態をあらわす縦断面図
【図２】ホルダの正面図
【図３】ホルダの背面図
【図４】図３のＡ−Ａ線断面図
【図５】レバーをホルダに組み付ける前の状態をあらわす水平断面図
【図６】図５のＢ−Ｂ線断面図
【図７】図５のＣ−Ｃ線断面図
【図８】雄側コネクタの正面図
【図９】レバーをホルダに挿入した状態をあらわす水平断面図
【図１０】雌側コネクタと雄側コネクタの嵌合前の状態をあらわす水平断面図
【図１１】雌側コネクタと雄側コネクタの嵌合初期の状態をあらわす水平断面図
【図１２】レバーが嵌合完了位置にロックされた状態を示す部分拡大縦断面図
【図１３】雌側コネクタと雄側コネクタの嵌合が完了した状態をあらわす水平断面図
【図１４】雌側コネクタと雄側コネクタの嵌合が完了した状態をあらわす縦断面図
【符号の説明】
１０…雌側コネクタ（一方のコネクタ）
１１…ホルダ（ハウジング）
２４…サブコネクタ
２６…雌端子金具（端子金具）
２９…支持軸
４０…レバー
４１…カム板部
４２…軸受孔
４３…組付溝
４５…カム溝
４６…弾性係止片
５０…雄側コネクタ（他方のコネクタ）
５３…フード部
５４…カムピン
５５…ロック解除リブ
【図１】
0003987736.tif 000002
【図２】
0003987736.tif 000003
【図３】
0003987736.tif 000004
【図４】
0003987736.tif 000005
【図５】
0003987736.tif 000006
【図６】
0003987736.tif 000007
【図７】
0003987736.tif 000008
【図８】
0003987736.tif 000009
【図９】
0003987736.tif 000010
【図１０】
0003987736.tif 000011
【図１１】
0003987736.tif 000012
【図１２】
0003987736.tif 000013
【図１３】
0003987736.tif 000014
【図１４】
0003987736.tif 000015